(57)【特許請求の範囲】
【請求項１】
無線通信システムにおいて、ＵＥによって送信電力制限（ＴＰＬ）情報を確定し、前記ＵＥは、１つ以上の電力増幅器（ＰＡ）によってサーブされた複数のコンポーネントキャリア（ＣＣ）で設定され、前記ＴＰＬ情報は、一セットのＴＰＬ値を含み、各ＴＰＬ値は、ＵＥおよび各ＰＡおよび各ＣＣのＵＥ設定された最大の伝送電力に対応するステップ、
各ＰＨ値がＵＥ計算された送信電力によって減算されたＴＰＬ値と等しい一セットのＰＨ値を含むパワーヘッドルーム（ＰＨ）情報を確定するステップ、および
前記ＰＨ情報を基地局に報告するステップを含む方法。
【請求項２】
前記セットのＴＰＬ値は、前記ＵＥのＵＥ−レベルＴＰＬ値、各ＰＡの１つ以上のＰＡ−レベルＴＰＬ値、および各ＣＣの複数のＣＣ−レベルＴＰＬ値を含む請求項１に記載の方法。
【請求項３】
前記セットのＰＨ値は、前記ＵＥのＵＥ−レベルＰＨ値、各ＰＡの１つ以上のＰＡ−レベルＰＨ値、および各ＣＣの複数のＣＣ−レベルＰＨ値を含む請求項１に記載の方法。
【請求項４】
前記ＴＰＬ情報は減少されて、非冗長ＴＰＬ値の減少されたセットを含み、前記ＰＨ情報も減少されて、非冗長ＰＨ値の減少されたセットを含む請求項１に記載の方法。
【請求項５】
前記ＵＥは、１つのＰＡだけを有し、前記ＵＥの前記ＵＥ−レベルＴＰＬ値は、前記ＰＡのＰＡ−レベルＴＰＬ値によって代替される請求項４に記載の方法。
【請求項６】
ＰＡは、１つのＣＣだけをサーブし、前記ＰＡのＰＡ−レベルＴＰＬ値は、前記ＣＣのＣＣ−レベルＴＰＬ値によって代替される請求項４に記載の方法。
【請求項７】
前記ＰＨ情報は、固定長ＭＡＣ制御素子（ＣＥ）によって、前記基地局に報告され、前記長さは前記基地局によって設定される請求項１に記載の方法。
【請求項８】
前記ＰＨ情報は、可変長ＭＡＣ制御素子（ＣＥ）によって、前記基地局に報告され、前記長さは前記ＭＡＣ ＣＥに示される請求項１に記載の方法。
【請求項９】
ユーザー端末（ＵＥ）装置であって、
送信電力制限（ＴＰＬ）情報を確定する電力制御モジュールであって、前記ＵＥは、１つ以上の電力増幅器（ＰＡ）によってサーブされた複数のコンポーネントキャリア（ＣＣ）で設定され、前記ＴＰＬ情報は、一セットのＴＰＬ値を含み、各ＴＰＬ値は、ＵＥおよび各ＰＡおよび各ＣＣのＵＥ設定された最大の伝送電力に対応し、前記電力制御モジュールは、一セットのＰＨ値を含むパワーヘッドルーム（ＰＨ）情報を確定し、各ＰＨ値は、ＵＥ計算された送信電力によって減算されたＴＰＬ値と等しい電力制御モジュール、および
前記ＰＨ情報を基地局に報告する送信機を含む装置。
【請求項１０】
前記セットのＴＰＬ値は、前記ＵＥのＵＥ−レベルＴＰＬ値、各ＰＡの１つ以上のＰＡ−レベルＴＰＬ値、および各ＣＣの複数のＣＣ−レベルＴＰＬ値を含む請求項９に記載の装置。
【請求項１１】
前記セットのＰＨ値は、前記ＵＥのＵＥ−レベルＰＨ値、各ＰＡの１つ以上のＰＡ−レベルＰＨ値、および各ＣＣの複数のＣＣ−レベルＰＨ値を含む請求項９に記載の装置。
【請求項１２】
前記ＴＰＬ情報は減少されて、非冗長ＴＰＬ値の減少されたセットを含み、前記ＰＨ情報も減少されて、非冗長ＰＨ値の減少されたセットを含む請求項９に記載の装置。
【請求項１３】
前記ＵＥは、１つのＰＡだけを有し、前記ＵＥの前記ＵＥ−レベルＴＰＬ値は、前記ＰＡのＰＡ−レベルＴＰＬ値によって代替される請求項１２に記載の装置。
【請求項１４】
ＰＡは、１つのＣＣだけをサーブし、前記ＰＡのＰＡ−レベルＴＰＬ値は、前記ＣＣのＣＣ−レベルＴＰＬ値によって代替される請求項１２に記載の装置。
【請求項１５】
前記ＰＨ情報は、固定長ＭＡＣ制御素子（ＣＥ）によって、前記基地局に報告され、前記長さは前記基地局によって設定される請求項９に記載の装置。
【請求項１６】
前記ＰＨ情報は、可変長ＭＡＣ制御素子（ＣＥ）によって、前記基地局に報告され、前記長さは前記ＭＡＣ ＣＥに示される請求項９に記載の装置。
【請求項１７】
無線通信システムにおけるユーザー端末（ＵＥ）用の全てのＫ個の送信電力制限（ＴＰＬ）値を確定し、前記ＵＥは、Ｎ個のコンポーネントキャリア（ＣＣ）が設定されるステップ、および
前記Ｎ個のＣＣ用の前記Ｎ個のＰＨ値、前記Ｋ個のＴＰＬ値、前記Ｋの値、および各ＴＰＬとそれぞれ関連したＫセットのキャリアインデックスを含むパワーヘッドルーム（ＰＨ）情報を基地局に報告するステップを含み、前記ＵＥは電力増幅器（ＰＡ）を含み、前記ＴＰＬ値の１つは前記ＰＡのＵＥ設定された最大の伝送電力を表す、方法。
【請求項１８】
前記ＴＰＬ値の１つは、前記ＵＥのＵＥ設定された最大送信電力を表す請求項１７に記載の方法。
【請求項１９】
前記基地局に最大のＵＥ出力電力（ＰＰＯＷＥＲＣＬＡＳＳ）を伝送するステップを更に含む請求項１７に記載の方法。
【請求項２０】
前記ＰＨ情報は、ＭＡＣ制御素子（ＣＥ）によって前記基地局に報告され、前記ＭＡＣ ＣＥサブヘッダーは、ＰＨ情報報告に割り当てられたＬＣＩＤを含む請求項１に記載の方法。
【発明の詳細な説明】
【技術分野】
【０００１】
本出願は、３５ U.S.C. §１１９の下、２０１０年１０月１日に出願された米国特許仮出願番号第６１／３８８，６７２号「Reporting Mechanism for Transmission Power in Carrier Aggregation,」、２０１０年１１月８日に出願された米国特許仮出願番号第６１／４１１，０６２号「Mechanism for Reporting Maximum Transmission Power in Carrier Aggregation,」、２０１１年５月２日に出願された米国特許仮出願番号第６１／４８１，７０２号「Indication of User Equipment Transmit Power Capacity in Carrier Aggregation,」からの優先権を主張するものであり、これらの全ては引用によって本願に援用される。
【０００２】
本発明は、無線ネットワーク通信に関し、特に、キャリアアグリゲーションシステムにおけるユーザー端末からの最大送信電力およびパワーヘッドルームを基地局に設定し、且つ報告することに関するものである。
【背景技術】
【０００３】
ロングタームエボリューション（ＬＴＥ）システムは、高ピークデータレート、低遅延、改善されたシステム容量、および簡単なネットワークアーキテクチャによる低運用コストを提供する。ＬＴＥシステムは、例えばＧＳＭ、ＣＤＭＡ、およびユニバーサルモバイル通信システム（ＵＭＴＳ）などの従来の無線ネットワークとのシームレス統合も提供する。ＬＴＥシステムの強化は、第４世代（４Ｇ）移動通信システム（ＩＭＴ−Ａｄｖａｎｃｅｄ）規格に適う、またはそれを超えることができるように考慮されている。強化の鍵となる１つは、１００ＭＨｚまでの帯域幅をサポートし、現存する無線ネットワークシステムとの後方交換性である。キャリアアグリゲーション（ＣＡ）は、システムスループットを改善するために用いられる。キャリアアグリゲーションでは、ＬＴＥ−Ａｄｖａｎｃｅｄシステムは、ダウンリンク（ＤＬ）の１Ｇｂｐｓおよびアップリンク（ＵＬ）の５００Ｍｂｐｓを超えるピークターゲットデータレートをサポートすることができる。このような技術は、オペレーターにいくつかの小さい連続の、または不連続のコンポーネントキャリアを集合させてより大きなシステム帯域幅を提供し、従来のユーザーにコンポーネントキャリアの中の１つを用いてシステムにアクセスさせることで後方交換性を提供する。
【０００４】
直交周波数分割多重（ＯＦＤＭ）無線技術は、反射と干渉に高度な弾性を提供している間も、高データ帯域幅が効率的に構成設定されるようにするため、ＬＴＥ／ＬＴＥ−Ａに組み込まれている。ＯＦＤＭ通信システムでは、各移動局（ＵＥ）の送信電力は、特定のレベルで保持されてネットワークによって調整される必要がある。しかしながら、各ＵＥの最大送信電力は、ＵＥの容量によって異なる。パワーヘッドルーム報告（ＰＨＲ）は、ＵＥにその電力容量と使用をネットワークに提供するように設定するメカニズムである。ＵＥは、ＰＨＲのメカニズムを用いてそのサービング基地局（ｅＮＢ）にパワーヘッドルーム（ＰＨ）を周期的に提供する。ＰＨは、ＵＥ設定された（ＵＥ−ｃｏｎｆｉｇｕｒｅｄ）最大送信電力とＵＥ計算された（ＵＥ−ｃａｌｃｕｌａｔｅｄ）現在のＵＥの送信電力との間のパワーオフセットとして定義される。受信したＰＨ情報に基づき、ｅＮＢは、好適なリソース割り当てによってＵＥの送信電力を調整することができる。
【０００５】
図１（従来技術）は、キャリアアグリゲーションが行われないＬＴＥ Ｒｅｌ−８／９システムのＵＥのパワーヘッドルーム（ＰＨ）および他の関連するパラメータを表している。ＵＥのＰＨ値は、方程式（１）に定義され、ＵＥ設定された最大出力電力ＰＣＭＡＸは、方程式（２）に定義される：
PH = PCMAX - UE 送信電力                  (1) 
PCMAX_L <= PCMAX <= PCMAX_H                     (2)
となり、その中の
−PCMAX_L = MIN {PEMAX - ΔTC, PPOWERCLASS - MPR - A-MPR- ΔTC}であり;
−PCMAC_H = MIN {PEMAX, PPOWERCLASS}であり;
−PEMAX は、より高い層によって設定され;
−PPOWERCLASS は、最大ＵＥ出力電力であり;
−最大電力低減（Maximum Power Reduction； MPR）: 特定変調順序（certain modulation order）およびリソースブロック数の最大電力の最大許容低減（maximum allowed reduction）であり;
−追加最大電力低減 (A-MPR): リソースブロック数および帯域に対する最大電力の最大許容低減であり;
−ＣＣが帯域エッジにある時、ΔTC = 1.5dB; でなければΔTC = 0dBである
【発明の概要】
【発明が解決しようとする課題】
【０００６】
図２（従来技術）は、キャリアアグリゲーションが行われるＬＴＥ Ｒｅｌ−１０システムのＵＥの複数のパワーヘッドルーム（ＰＨ）値および他の関連するパラメータを表している。ＬＴＥ Ｒｅｌ−１０システムでは、よりフレキシブルなリソース割り当てが必要とされ、キャリアアグリゲーション、同期（ｓｉｍｕｌｔａｎｅｏｕｓ）物理アップリンク制御チャネル（ＰＵＣＣＨ）および物理アップリンク共有チャネル（ＰＵＳＣＨ）伝送、複数のコンポーネントキャリア（ＣＣ）上のＰＵＳＣＨの並列伝送、複合（ｍｕｌｔｉ−ｃｌｕｓｔｅｒｅｄ）ＰＵＳＣＨ、およびパワースケーリングを含む先進的な機能をサポートする。図２の例では、ＵＥは、２つのコンポーネントキャリアＣＣ１とＣＣ２で設定される。ＣＣ１（例えばＰＣＭＡＸ，Ｃ１）とＣＣ２（例えばＰＣＭＡＸ，Ｃ２）のＵＥ設定された最大出力電力は、上層設定（ｃｏｎｆｉｇｕｒａｔｉｏｎｓ）（例えばＰＭＡＸ＿ＣＣ１とＰＭＡＸ＿ＣＣ２）およびＭＰＲ、Ａ−ＭＰＲ、およびΔＴＣなどの他のＣＣ関連のパラメータによって決まる。また、ＣＣ１とＣＣ２は、同じＵＥに属し、同じまたは異なる増幅器によってサーブされるため、ＣＣ１とＣＣ２の両方の総最大出力電力は、ＰＭＡＸ＿ＵＥまたはＰＭＡＸ＿ＰＡなどの付加制約に制限され得る。よって、複数のＰＨ値は、ＵＥの送信電力の制御用にｅＮＢに報告される必要がある。よって、キャリアアグリゲーションが行われないＲｅｌ−８／９システム用の現存のＰＨＲのメカニズムは、ＵＥの複数設定されたＣＣ、ＣＣをサーブする電力増幅器、およびＵＥに用いられる種々の送信電力制限を考慮するのにもはや十分ではない。
【課題を解決するための手段】
【０００７】
パワーヘッドルーム報告（ＰＨＲ）の方法が提供される。ＵＥは、複数のコンポーネントキャリア（ＣＣ）で設定され、キャリアアグリゲーションを行う無線システムで、１つ以上の電力増幅器（ＰＡ）によってサーブされる。ＵＥは、一セットのＴＰＬ値を含む送信電力制限（ＴＰＬ）情報を確定（determine）し、各ＴＰＬ値は、ＵＥ−レベル、ＰＡ−レベル、およびＣＣ−レベルのＵＥ設定された最大送信電力に対応する。次いで、ＴＰＬ情報は、非冗長のＴＰＬ値に減少される。非冗長のＴＰＬ値に基づいて、ＵＥは、一セットのＰＨ値を含むパワーヘッドルーム（ＰＨ）情報を確定する。各ＰＨ値は、ＵＥ計算された送信電力によって減算されたＴＰＬ値と等しい。
【０００８】
新しいＰＨＲフォーマットは、多層パワーヘッドルーム報告用に提供される。１つの例では、ＵＥは、各ＰＨＲ報告例で固定長ＭＡＣ制御素子（ＣＥ）によって、ＰＨ情報を基地局に報告する。もう１つの例では、ＵＥは、各ＰＨＲ報告例で可変長ＭＡＣ ＣＥによって、ＰＨ情報を基地局に報告する。長さ表示（ｌｅｎｇｔｈ ｉｎｄｉｃａｔｉｏｎ）は、ＭＡＣサブヘッダーまたはＭＡＣ ＰＤＵに含まれることができる。新しいロケール識別子（ＬＣＩＤ）は、ＭＡＣ ＣＥのＰＨＲ用のＭＡＣサブヘッダーに割り当てられる。
【０００９】
他の実施形態及びそれらの利点が以下に詳細に説明される。この概要は、説明を限定するものではない。本発明は請求項によって限定される。
【図面の簡単な説明】
【００１０】
添付の図面は、本発明の実施形態を説明しており、同様の番号は同様の構成要素を示している。
【図１】（従来技術）キャリアアグリゲーションが行われないＬＴＥ Ｒｅｌ−８／９システムのＵＥのパワーヘッドルームおよび他の関連するパラメータを表している。
【図２】（従来技術）キャリアアグリゲーションが行われるＬＴＥ Ｒｅｌ−１０システムのＵＥの複数のパワーヘッドルーム（ＰＨ）値および他の関連するパラメータを表している。
【図３】１つの新しい態様に基づく、ＰＨＲのメカニズムを有するＬＴＥ／ＬＴＥ−Ａ  Ｒｅｌ−１０無線通信システムのユーザー端末および基地局の簡略化したブロック図である。
【図４Ａ】１つの電力増幅器（ＰＡ）だけがＵＥにある時の第１の例のＴＰＬ減少を表している。
【図４Ｂ】１つのＰＡが１つのＣＣだけをサーブする時の第２の例のＴＰＬ減少を表している。
【図５】パワーヘッドルーム報告を完了する方法のフローチャートである。
【図６Ａ】効率的なパワーヘッドルーム報告の方法のフローチャートである。
【図６Ｂ】効率的なパワーヘッドルーム報告の方法のフローチャートである。
【図７】１つの新しい態様に基づくＵＥの送信電力の容量を示す方法を表している。
【図８】１つの新しい態様に基づくＵＥの送信電力の容量を示す方法の流れ図である。
【図９】１つの新しい態様に基づくｅＮＢとＵＥ間のＰＨＲの手順を表している。
【図１０】パワーヘッドルーム報告用の固定長ＭＡＣ ＣＥの例を表している。
【図１１】パワーヘッドルーム報告用の可変長ＭＡＣ ＣＥの例を表している。
【図１２】ＵＥ毎のＰＨＲの新しいフォーマットの実施形態を表している。
【発明を実施するための形態】
【００１１】
発明の実施の形態を詳細に参照する。その例が添付の図面に示される。
【００１２】
図３は、１つの新しい態様に基づく、ＬＴＥ／ＬＴＥ−Ａ  Ｒｅｌ−１０無線通信システム３００のユーザー端末ＵＥ３０１および基地局ｅＮＢ３２１の簡略化したブロック図である。無線通信システム３００では、ＵＥ３０１の送信電力は、特定のレベルで保持され、所望のチャネル品質に達してシステム容量を最大化する必要がある。同時に、ＵＥ３０１の送信電力は、ｅＮＢ３２１によって調整されるため、共存のシステムは、互いに深刻に干渉されることがない。しかしながら、許容可能な最大送信電力は、ＵＥの容量によって各ＵＥに対して異なる。例えば、帯域外発射とスプリアス発射の抑制で非常に良い機能を有するＵＥでは、ＵＥの送信電力は、より悪い発射制御機能を有するＵＥより大きいことができる。また、ＵＥの最大送信電力は、ＵＥのリソース割り当てに関連する（例えば、変調および符号化方法（ＭＣＳ）およびＵＥが占めるリソースの位置／サイズ）。パワーヘッドルーム報告（ＰＨＲ）は、ＵＥにその電力容量および使用を報告するように設定するメカニズムである。
【００１３】
図３の例では、ＵＥ３０１は、メモリ３０２、プロセッサ３０３、電力制御モジュール３０４、およびアンテナ３０６に接続された送信機と受信機３０５を含む。同様に、ｅＮＢ３２１は、メモリ３２２、プロセッサ３２３、電力制御モジュール３２４、およびアンテナ３２６に接続された送信機３２５と受信機３２６を含む。キャリアアグリゲーション（ＣＡ）が行われるＬＴＥ Ｒｅｌ−１０システムでは、ＵＥ３０１は、複数のコンポーネントキャリア（ＣＣ）で設定され、各キャリアは、対応の電力増幅器（ＰＡ）によってサーブされる。１つの新しい態様では、ＰＨＲのメカニズムを改善するために、ＵＥの送信電力制限（ＴＰＬ）は、３つのレベル、第１のＵＥ−レベルＴＰＬ、第２のＰＡ−レベルＴＰＬ、および第３のＣＣ−レベルＴＰＬに設定される。次いで、ＴＰＬ情報の異なるレベルは、非冗長のＴＰＬ値に減少され、効率的なパワーヘッドルーム報告を実現する。
【００１４】
第１に、ＣＣ−レベルＴＰＬは、ＰＥＭＡＸ，ｉより大きくないｉ番目のＣＣの送信電力を制限するために用いられる。ＰＥＭＡＸ，ｉは、より高い層によって設定されたｉ番目のＣＣの最大送信電力である。ｉ番目のＣＣのＵＥ設定された最大送信電力がＰＭＡＸ＿ＣＣ，ｉとして示され、ｉ番目のＣＣのＣＣ毎（ｐｅｒ‐ＣＣ）のＰＨがＰＨＣＣ，ｉとして示された場合、数学的に、
PHCC,i = PMAX_CC,i - PCC,i                      (3)
PEMAX,i - ΔTC <= PMAX_CC,i <= PEMAX,i             (4)
となり、その中の
−ＣＣが帯域エッジにある時、ΔTC = 1.5dB; でなければΔTC = 0dBであり；
−ＰＣＣ，ｉは、ｉ番目のＣＣの最大送信電力である。
【００１５】
第２に、ＰＡ−レベルＴＰＬは、ＰＭＡＸ＿ＰＡ，ｊより大きくないｊ番目のＰＡの出力電力を制限するために用いられ、ｊ番目のＰＡに対する悪い効率と大きな帯域外発射を防ぐ。ｊ番目のＰＡのＰＡ毎のＰＨがＰＨＰＡ，ｊとして示された場合、数学的に、
PHPA,j = PMAX_PA,j - PPA,j                          (5)
PPOWERCLASS - MPRPA,j- A-MPRPA,j - ΔTC <= 
PMAX_PA,j <= PPOWERCLASS    (6)
となり、その中の
−PPOWERCLASSは、最大ＵＥ出力電力であり；
−MPRPA,j： ｊ番目のＰＡによってサーブされたＣＣのリソースのＭＰＲであり、最大電力低減 (MPR)は、特定変調順序およびリソースブロック数の最大電力の最大許容低減であり;
−A-MPRPA,j： ｊ番目のＰＡによってサーブされたＣＣのリソースのＭＰＲであり、追加最大電力低減 (A-MPR)は、リソースブロック数および帯域に対する最大電力の最大許容低減であり;
−ΔTC は、ΔTC，ｉ の最大値であり；
−PPA,j：は、ｊ番目のＰＡによってサーブされたＣＣの送信電力の総和である。
【００１６】
第３に、ＵＥ−レベルＴＰＬは、最大ＵＥ出力電力であるＰＰＯＷＥＲＣＬＡＳＳより大きくない全ての送信電力を制限するために用いられる。ＵＥのＵＥ設定された最大送信電力がＰＭＡＸ＿ＵＥとして示され、ＵＥ毎のＰＨがＰＨＵＥとして示された場合、数学的に、
PHUE = PMAX_UE - PUE                          (7)
PPOWERCLASS - ΔTC <= PMAX_UE <= PPOWERCLASS          (8)
となり、その中の
−ΔTC = 0dBまたは1.5dBであり；
−PUEは、ＵＥにある全ての設定されたＣＣの送信電力の総和である。
【００１７】
上述のＵＥ−レベル、ＰＡ−レベル、およびＣＣ−レベルＴＰＬの情報は、層構造を形成する。ＵＥ−レベルは、最も高い層（１＝１）、ＰＡ−レベルは、中間層（１＝２）、およびＣＣ−レベルは、最も低い層（１＝３）である。層構造は、特定の符号のマッピングによって表される。１つの例では、（（ＣＣ１、ＣＣ２）、（ＣＣ３）、（ＣＣ４、ＣＣ５））は、ＵＥが３つのＰＡ（ＰＡ１、ＰＡ２、およびＰＡ３）を有し、ＣＣ１とＣＣ２がＰＡ１をシェアし、ＣＣ３がＰＡ２を用い、ＣＣ４とＣＣ５がＰＡ３をシェアすることを表している。もう１つの例では、（（ＣＣ１））は、１つのＰＡだけがＵＥにあり、ＣＣ１は、ＰＡ１によってサーブされる。層構造を考慮することによって、ＴＰＬ情報は、異なる層のＴＰＬ値のいくつかが冗長である時、それに応じて減少されることができる。一般的に、ｌａｙｅｒ−１とｌａｙｅｒ−（１＋１）のＴＰＬ値は、ｌａｙｅｒ−（１＋１）エンティティがｌａｙｅｒ−１エンティティの中の唯一のエンティティである時、１つのＴＰＬ値に組み合わせられることができる。
【００１８】
図４Ａおよび４Ｂは、１つの新しい態様に基づく、異なるレベルのＴＰＬ減少の例を表している。図４Ａの例では、ＵＥ４０１は、３つのコンポーネントキャリアＣＣ１、ＣＣ２、およびＣＣ３で設定される。全ての３つのＣＣは、同一の電力増幅器ＰＡ１によってサーブされる。このような層構造は、（（ＣＣ１、ＣＣ２、ＣＣ３））として表される。ＴＰＬ減少のない状況では、異なるレベルの異なるＴＰＬの制約は、
CC1: PCC,1 <= PMAX_CC,1                    (A1)
CC2: PCC,2 <= PMAX_CC,2                    (A2)
CC3: PCC,3 <= PMAX_CC,3                    (A3)
PA1: PCC,1 + PCC,2  + PCC,3 <= PMAX_PA,1       (A4)
UE:  PCC,1 + PCC,2  + PCC,3 <= PMAX_UE         (A5)
である。
【００１９】
上述の方程式から見られるように、方程式（Ａ４）および方程式（Ａ５）は、右のＴＰＬの制約が確定されることができれば、１つのＰＡ−レベルＴＰＬを表すように１つの方程式に減少されることができる。一般的に、ＵＥの中に１つのＰＡ（例えばＰＡ１）だけがあり、ｎアクティブＣＣ（例えばＣＣ１〜ＣＣｎ）がある場合、ＵＥ−レベルＴＰＬは、ＰＡ−レベルＴＰＬによって取り替えられることができる。ＵＥ−レベルＴＰＬ（例えばＰＭＡＸ＿ＵＥ）をＰＡ−レベルＴＰＬ（例えばＰＭＡＸ＿ＰＡ，１）に代替するために、新しいＴＰＬ（例えばＰＭＡＸ＿ＰＡ，１＿ＵＥ）が定義され、その上限および下限が確定される。数学的に、ＰＡ−レベルＴＰＬおよびＵＥ−レベルＴＰＬを有し、その上限および下限は、以下の通りである：
PCC1 + PCC2 + … + PCCn <= PMAX_PA,1          (A6)
PCC1 + PCC2 + … + PCCn <= PMAX_UE           (A7)
PPOWERCLASS - MPRPA,1 - A-MPRPA,1 - ΔTC 
<= PMAX_PA,1 <= PPOWERCLASS                    (A8)
PPOWERCLASS - ΔTC <= PMAX_UE <= PPOWERCLASS        (A9)
【００２０】
（Ａ６）と（Ａ７）を組み合わせ、（Ａ８）と（Ａ９）を組み合わせることで、新しいＴＰＬ ＰＭＡＸ＿ＰＡ，１＿ＵＥが以下のように定義される：
PCC1 + PCC2 + … + PCCn <= PMAX_PA,1_UE        (A10)
PPOWERCLASS - MPRPA,1 - A-MPRPA,1 - ΔTC 
<= PMAX_PA,1_UE <= PPOWERCLASS                 (A11)
【００２１】
ＰＭＡＸ＿ＰＡ，１とＰＭＡＸ＿ＵＥの上限が同じであるため、ＰＭＡＸ＿ＰＡ，１＿ＵＥの上限は、ＰＰＯＷＥＲＣＬＡＳＳでもある。一方、ＰＭＡＸ＿ＵＥの下限は、ＰＰＯＷＥＲＣＬＡＳＳ−ΔＴＣであり、複式フィルターの機能を表している。ＰＭＡＸ＿ＰＡ，１の下限は、ＰＰＯＷＥＲＣＬＡＳＳ−ＭＰＲＰＡ，１−Ａ‐ＭＰＲＰＡ，１−ΔＴＣであり、複式フィルターおよびＰＡ１の機能を表している。よって、ＰＭＡＸ＿ＰＡ，１＿ＵＥの下限は、ＰＭＡＸ＿ＰＡ，１の下限と同じでなければならない。最後に、ＰＭＡＸ＿ＰＡ，１＿ＵＥ：＝ＰＭＡＸ＿ＰＡ，１および（Ａ７）は、冗長とみなすことができる。
【００２２】
図４Ｂの例では、ＵＥ４０２は、３つのコンポーネントキャリアＣＣ１、ＣＣ２、およびＣＣ３で設定される。ＣＣ１、ＣＣ２は、第１の電力増幅器ＰＡ１によってサーブされ、ＣＣ３は、第２の電力増幅器ＰＡ２によってサーブされる。このような層構造は、（（ＣＣ１、ＣＣ２）、ＣＣ３）として表される。ＴＰＬ減少のない状況では、異なるレベルの異なるＴＰＬの制約は、
CC1: PCC,1 <= PMAX_CC,1                    (B1)
CC2: PCC,2 <= PMAX_CC,2                    (B2)
CC3: PCC,3 <= PMAX_CC,3                    (B3)
PA1: PCC,1 + PCC,2 <= PMAX_PA,1              (B4)
PA2: PCC,3 <= PMAX_PA,2                    (B5)
UE:  PCC,1 + PCC,2  + PCC,3 <= PMAX_UE         (B6)
である。
【００２３】
上述の方程式から見られるように、方程式（Ｂ３）および方程式（Ｂ５）は、右のＴＰＬの制約が確定されることができれば、１つのＣＣ−レベルＴＰＬを表すように１つの方程式に減少されることができる。一般的に、ｊ番目のＰＡがｉ番目のＣＣだけをサーブする場合、ＰＡ−レベルＴＰＬは、ＣＣ−レベルＴＰＬによって取り替えられることができる。ＰＡ−レベルＴＰＬ（例えばＰＭＡＸ＿ＰＡ，ｊ）をＣＣ−レベルＴＰＬ（例えばＰＭＡＸ＿ＣＣ，ｉ）に代替するために、新しいＴＰＬ（例えばＰＭＡＸ＿ＰＡ，ｊ＿ＣＣ，ｉ）が定義され、その上限および下限が確定される。ＣＣ−レベルＴＰＬおよびＰＡ−レベルＴＰＬを有し、その上限および下限は、以下の通りである：
PCC,i <= PMAX_CC,i                        (B7)
PCC,i <= PMAX_PA,j                        (B8)
PEMAX,i - ΔTC,i <= PMAX_CC,i <= PEMAX,I        (B9)
PPOWERCLASS - MPRPA,j - A-MPRPA,j - ΔTC,i 
<= PMAX_PA,j <= PPOWERCLASS                  (B10)
【００２４】
（Ｂ７）と（Ｂ８）を組み合わせ、（Ｂ９）と（Ｂ１０）を組み合わせることで、新しいＴＰＬ ＰＭＡＸ＿ＰＡ，ｊ＿ＣＣ，ｉが以下のように定義される：
PCC,i <= PMAX_PA,j_CC,i                       (B11)
min (PEMAX,I - ΔTC, PPOWERCLASS - MPRPA,j - A-MPRPA,j - ΔTC,i) 
<= PMAX_PA,j_CC,I <= min (PEMAX,i, PPOWERCLASS)    (B12)
【００２５】
上限では、ＰＭＡＸ＿ＰＡ，ｊ＿ＣＣ，ｉの上限は、明白にｍｉｎ（ＰＥＭＡＸ，ｉ、ＰＰＯＷＥＲＣＬＡＳＳ）である。一方、ＰＭＡＸ＿ＣＣ，ｉの下限は、ＰＥＭＡＸ，ｉ−ΔＴＣであり、複式フィルターの機能がΔＴＣの制約より、より好ましいことを表している。ＰＭＡＸ＿ＰＡ，ｊの下限は、ＰＰＯＷＥＲＣＬＡＳＳ−ＭＰＲＰＡ，ｊ−Ａ‐ＭＰＲＰＡ，ｊ−ΔＴＣ、ｊであり、複式フィルターの機能の他に、ＰＡの機能は、（ＭＰＲＰＡ，ｊ＋Ａ‐ＭＰＲＰＡ，ｊ）の制約より、より好ましいことを表している。よって、ＰＭＡＸ＿ＰＡ，ｊ＿ＣＣ，ｉの下限は、複式フィルターの機能とＰＡ機能の弱い方によって決められなければならない。よって、ＰＭＡＸ＿ＰＡ，ｊ＿ＣＣ，ｉの下限は、ｍｉｎ（ＰＥＭＡＸ，ｉ−ΔＴＣ、ＰＰＯＷＥＲＣＬＡＳＳ−ＭＰＲＰＡ，ｊ−Ａ‐ＭＰＲＰＡ，ｊ−ΔＴＣ，ｉ）であることが断定されることができる。新しく定義されたＣＣ−レベルＴＰＬ ＰＭＡＸ＿ＰＡ，ｊ＿ＣＣ，ｉは、ｊ番目のＰＡがｉ番目のＣＣだけをサーブした時、（Ｂ７）および（Ｂ８）の両方に代替する。
【００２６】
ＴＰＬの異なるレベルが確定され、非冗長のＴＰＬ値に減少されると、ＵＥは、対応のパワーヘッドルーム（ＰＨ）を計算し、対応して各非冗長のＴＰＬにＰＨＲを実行することができる。２つのＰＨＲスキーム−完全なＰＨＲシグナリングと効率的なＰＨＲシグナリングがある。完全なＰＨＲシグナリングでは、ｅＮＢがＵＥのＵＥ／ＰＡ／ＣＣマッピングを知っている場合、各非冗長のＴＰＬ用の１つのＰＨＲは、ＵＥによって計算されてｅＮＢに報告される。効率的なＰＨＲシグナリングでは、いくつかの層のＴＰＬ／ＰＨ情報は、組み合わせられて、または演繹されてシグナリングオーバーヘッドを更に減少する。
【００２７】
図５は、１つの新しい態様に基づく、パワーヘッドルーム報告を完了する方法のフローチャートである。ＵＥは、ｐの総数ＰＡを有するものと仮定する。ステップ５０１では、ＵＥは、ｊ番目のＰＡ（ｊ＝１.．．ｐ， ｊ＋＋）で開始する。ステップ５０２では、ＵＥは、ｊ番目のＰＡが１つのＣＣだけをサーブするかどうかをチェックする。答えがイエスの場合、ＰＡ−レベルＴＲＬは、ＣＣ−レベルＴＰＬによって代替され得る。方程式（Ｂ１２）に基づき、ＵＥは、ｊ番目のＰＡによってサーブされたｉ番目のＣＣ用にＣＣ−レベルＴＰＬ ＰＭＡＸ＿ＣＣ，ｉを設定する（ステップ５０３）。方程式（３）に基づき、ＵＥは、ＣＣ毎のＰＨＲも報告する（ステップ５０４）。一方、ｊ番目のＰＡによってサーブされるＣＣが１つ以上ある場合、方程式（４）に基づき、ＵＥは、ｊ番目のＰＡによってサーブされたｉ番目のＣＣ用にＰＭＡＸ＿ＣＣ，ｉを設定する（ステップ５０５）。方程式（３）に基づき、ＵＥは、ＣＣ毎のＰＨＲも報告する（ステップ５０６）。ステップ５０７では、ＵＥは、ｊ番目のＰＡに１つ以上のＣＣがあるかどうかをチェックする。ある場合、ｊ番目のＰＡによってサーブされた全てのＣＣのＴＰＬ値が設定されるまでステップ５０５〜５０６を繰り返す。次いでＵＥは、方程式（６）に基づき、ｊ番目のＰＡ用にＰＡ−レベルＰＭＡＸ＿ＰＡ，ｊを設定し、方程式（５）に基づき、ＰＡ毎のＰＨＲを報告する（ステップ５０８）。ステップ５０９では、ＵＥは、１つ以上のＰＡがあるかどうかをチェックする。答えがイエスの場合、ＵＥは増分（ｉｎｃｒｅｍｅｎｔｅｄ）j値を用いてステップ５０１に戻り、各ＰＡに対してステップ５０２〜５０８をリピートする。ステップ５１０で１つ以上のＰＡがない場合、ＵＥは、ＵＥが１つのＰＡだけを有するかどうかをチェックする。答えがイエスの場合、方程式（Ａ１１）に基づいて、ＵＥ−レベルＴＰＬがＰＡ−レベルＴＰＬによって代替されるため、完全なＰＨＲシグナリングが完了する。ＵＥが１つ以上のＰＡを有する場合、ＵＥは、方程式（８）に基づき、ＵＥ−レベルＰＭＡＸ＿ＵＥを設定し、方程式（７）に基づき、ＵＥ毎のＰＨＲを報告する（ステップ５１１）。
【００２８】
図６Ａと６Ｂは、１つの新しい態様に基づく効率的なパワーヘッドルーム報告の方法のフローチャートである。図６Ａは、効率的なＰＧＲシグナリングの第１の実施形態を表している。第１の実施形態では、ＵＥは、各ＣＣのＣＣ毎のＰＨＲおよびＵＥ毎のＰＨＲを報告し、ＰＡ−レベルＴＰＬおよびＵＥ−レベルＴＰＬは、新しいＵＥ−レベルＴＰＬに組み合わせられる。ＣＣ毎のＰＨＲ報告は、図５に示されたのと同じである。ステップ６０１では、ＵＥは、ｉ番目のＣＣ（ｉ＝１．．．ｎ，ｉ＋＋）で開始する。ステップ６０２では、ｉ番目のＣＣ用に、ＵＥは、ＰＭＡＸ＿ＣＣ，ｉを設定し、ＣＣ毎のＰＨＲを報告する。ステップ６０３では、ＵＥは、１つ以上のＣＣがあるかどうかをチェックする。ある場合、全てのＣＣがＰＨＲを完了するまでステップ６０１〜６０２を繰り返す。ステップ６０４では、ＵＥは、新しいＵＥ−レベルＴＰＬを設定し、ｅＮＢにＵＥ毎のＰＨＲを報告する。新しいＵＥ−レベルＴＰＬ ＰＭＡＸ＿ＵＥ＊は、以下の通り確定される。ＵＥにｐ個のＰＡ、即ちＰＡ１〜ＰＡｐがあると仮定する。ＰＡｊ，（１＜＝ｊ＜＝ｐ）では、ｍ（ｊ）個のＣＣの数がサーブされ、ｍ（ｊ）個のＣＣは、ＣＣｊ（１）、ＣＣｊ（２）、…、ＣＣｊ（ｍ）として標記される。対応のＰＡ−レベルＴＰＬは、以下のように表される。
PCC,j(1) + … + PCC,j(m(j)) <= PMAX_PA,j, (1<=j<=p)    (9)
【００２９】
ＵＥにｎ個のアクティブＣＣ、即ちＣＣ１〜ＣＣｎがあるものと仮定すると、ＵＥ−レベルＴＰＬは、ＰＭＡＸ＿ＵＥである。よって、方程式（９）によって定義されたｐ個のＰＡ−レベルＴＰＬは、以下の新しいＴＰＬが用いられた場合、冗長になる：
PCC,1 + … + PCC,n <= min (PMAX_UE, PMAX_PA,1, …, PMAX_PA,p)
次いで、新しいＵＥ−レベルＴＰＬのＵＥ毎のＰＨＲは：
PMAX_UE* = min (PMAX_UE, PMAX_PA,1, …, PMAX_PA,p)
PHUE* = PMAX_UE* - PUE
である。
【００３０】
図６Ｂは、効率的なＰＨＲシグナリングの第２の実施形態を表している。第２の実施形態では、ＵＥは、各ＣＣにＣＣ毎のＰＨＲを報告し、ｅＮＢがＵＥ／ＰＡ／ＣＣのマッピングを知る。この実施形態では、ｅＮＢがＵＥによって設定されたＣＣ−レベルＴＰＬの値を正確に知っている場合、ｅＮＢは、ＣＣ毎のＰＨＲから各ＣＣで送信電力を得ることができる。１つの例では、ＵＥは、最も低い許容値を用いてそのＣＣ−レベルＴＰＬ ＰＭＡＸ＿ＣＣ，ｉを常に設定し、ｅＮＢが設定されたＴＰＬ値を知る。他の例では、ＵＥは、設定されたＴＰＬをｅＮＢに明確に報告する。図６Ｂの例において、ステップ６１１では、ＵＥは、ｉ番目のＣＣで開始する（ｉ＝１．．．ｎ，ｉ＋＋）。ステップ６１２では、ＵＥは、ＰＭＡＸ＿ＣＣ，ｉを設定し、設定されたＰＭＡＸ＿ＣＣ，ｉとｉ番目のＣＣ用にＣＣ毎のＰＨＲを報告する。ステップ６１３では、ＵＥは、１つ以上のＣＣがあるかどうかをチェックする。ある場合、全てのＣＣがＰＨＲを完了するまでステップ６１１〜６１２を繰り返す。ＵＥ／ＰＡ／ＣＣのマッピングがｅＮＢに知られているため、ｅＮＢは、全てのＴＰＬを知る。
【００３１】
図７は、１つの新しい態様に基づくＵＥの送信電力の容量を示す方法を表している。図７の例では、ＵＥは、２つのコンポーネントキャリアＣＣ１とＣＣ２で設定される。ＣＣ１上の送信電力は、Ｐ１であり、ＣＣ２上の送信電力は、Ｐ２である。ＵＥは、以下の送信電力制約を有する：  垂直線７１０で示されたＰ１ ＜＝ ＰＣＭＡＸ，１、垂直線７２０で示されたＰ２ ＜＝ ＰＣＭＡＸ，２、および斜線７３０で示されたＰ１＋Ｐ２ ＜＝ ＰＣＭＡＸ。送信電力制約ＰＣＭＡＸ，１およびＰＣＭＡＸ，２は、上述のＣＣ−レベルＴＰＬであり、送信電力制約ＰＣＭＡＸは、上述のＵＥ−レベルＴＰＬである。２つのＣＣの有効なＵＥの送信電力の組み合わせは、全ての３つの電力制約によって示された領域、即ち、点線によって示された領域＃１の交差領域に落ちなければならない。一方では、１つまたは２つの電力制約だけが用いられた場合、ＵＥの送信電力は、領域１の外側を出て、斜線によって示された他の領域、例えば領域＃２、＃３、または＃４に入ることができる。
【００３２】
ＵＥが電力制約に違反することにならない、ＵＥに好適なリソース割り当て（例えば、ＭＣＳとリソースサイズ／位置の組み合わせ）を選ぶようにネットワーク（ｅＮＢ）を助けるために、ＵＥは固定のＰＨ情報をネットワークに提供するように設定される。ＣＣおよびＵＥレベルでのＵＥの送信電力は、ＰＣＭＡＸ，ＣとＰＣＭＡＸの制限を超えることはできない。計算された送信電力が制限を超えた場合、実際の送信電力は、減少される。即ち、図１では、ＣＣおよびＵＥレベルにある計算された送信電力が領域＃２、＃３、または＃４、または更には外領域にまで落ちた場合、計算された電力は減少されるため、実際の送信電力は、領域＃１に落ちる。実際、パワーヘッドルームは、最大送信電力と実際の送信電力間の差の測定ではない。むしろ、パワーヘッドルームは、最大送信電力と計算された送信電力間の差の測定である（例えば、ＰＨＲ１＝ＰＣＭＡＸ，１−Ｐ１、およびＰＨＲ２＝ＰＣＭＡＸ，２−Ｐ２）。よって、ＰＨ値は、負数であることができ、ＵＥの送信電力がＰＨＲ報告の時に最大送信電力によって既に制限されていることを示している。
【００３３】
図７の図に基づき、ネットワークがＵＥ電力使用の全容を得るようにするために、ＵＥは、ＰＨＲに沿って最大送信電力の真値を報告し、ネットワークが領域＃１の正確な境界を知らなければならない。通常、ＵＥは、ＣＣ１、ＣＣ２、…、ＣＣＮで設定されるとみなされる。電力制約は以下のように設定される：
0005568691.tif 000002
【００３４】
各ＰＨＲ報告の例では、ＵＥは、以下のＰＨ情報をネットワークに報告する：
‐ PHR1, PHR2, …, PHRN
‐ PCMAX,1, PCMAX,2, …, PCMAX,N; and
‐ PCMAX
【００３５】
上述のようにＰＡ−レベルＴＰＬなどの１つ以上のレベルの送信電力制限がある場合、ＵＥの送信電力のより一般の形式が定められることができる。Ｋ個の制約が送信電力制限にあると仮定すると、それらは、制約１，２、…、Ｋとして呼ばれる。集合（a set） Jk for 1<=k<=Kを定義し、その中のｃが集合Ｊｋに属する場合、ｃ番目のＣＣの送信電力は、ｋ番目の制約にかかわる。ｋ番目の制約の電力制限は、ＰＭＡＸ，Ｋで示される。次いで、数学的に、
0005568691.tif 000003
となり、その中の１｛｝は、かっこ｛｝の条件が正確な場合、指標関数は、１と等しいか、でなければ０と等しい。例えば、（１０）と（１１）の電力制約は、K=N+1、Jk = {k} for 1<=k<=N、JN+1 = {1, 2, …, N}、PMAX,k = PCMAX,k for 1<=k<=N、および PMAX,N+1 = PCMAX.を設定することで、（１２）に含まれる。
【００３６】
ＵＥは、ＣＣ１、ＣＣ２、…、ＣＣＮで設定されるとみなし、ＵＥの送信電力の制御は、（１２）の等式によって管理される。上述がより一般的な設定とみなすと、各ＰＨＲ報告の例では、ＵＥは、以下のＰＨ情報をネットワークに報告する：
‐ PHR1, PHR2, …, PHRN;
‐ The value of K;
‐ PMAX1, PMAX2, …, PMAXK; および
‐ J1, J2, …, JK
【００３７】
図８は、１つの新しい態様に基づくＵＥの送信電力の容量を示す方法の流れ図である。ステップ８０１では、ＵＥは、全てのＫ個の送信電力制限（ＴＰＬ）値を確定し、ＵＥは、Ｎ個のコンポーネントキャリア（ＣＣ）が設定される。ステップ８０２では、ＵＥは、パワーヘッドルーム（ＰＨ）情報をｅＮＢに報告する。パワーヘッドルーム情報は、各ＣＣのＮ個のＰＨ値、Ｋの値、Ｋ個のＴＰＬ値、およびＫセットのキャリアインデックスを含み、各セットは対応のＴＰＬと関連したキャリアインデックスを含む。
【００３８】
一旦、ＵＥが全ての必要なＴＰＬ値で設定され、報告される全てのパワーヘッドルームが計算されると、ＰＨ情報は、無線リソース制御（ＲＲＣ）層メッセージによって、そのサービングｅＮＢに通信される（ｓｉｇｎａｌｅｄ）。現存のＰＨＲのトリガの他に、ＰＨＲの新しいトリガが定義されることができる。例えば、新しいセカンダリセル（Ｓｃｅｌｌ）が付加、または除去された時、リソース割り当て、または参照（ｒｅｆｅｒｅｎｃｅ）リソース割り当てが変更した時、ｅＮＢがＵＥがサポートできる異常の電力を要求した時、即ち、組み合わされた送信電力は最大電力より大きい。また、ＵＥは、自動的にＰＨＲのメカニズムをアクティブにすることができる。ＰＨＲのトリガ条件が満たされた時、ＵＥ ＭＡＣ層は、ＰＨ情報および伝送ブロック（ＴＢ）を含む情報を準備する。次いで、このＴＢはアクティブのＣＣの１つに送られる。スケジューリングされていないＣＣでは、ＰＨＲを計算する参照リソース割り当て（ＲＲＡ）は、ｅＮＢによって通信されるか、またはＵＥは、所定のデフォルトのＲＲＡを用いて対応のＰＨ値を計算することができる。
【００３９】
図９は、１つの新しい態様に基づくＬＴＥ／ＬＴＥ−Ａ無線ネットワークのｅＮＢとＵＥ間のパワーヘッドルーム報告の手順を表している。ステップ９１１では、ｅＮＢ９０１は、ＰＨＲ設定メッセージをＵＥ９０２に送信する。ステップ９２１では、ｅＮＢ９１は、参照フォーマットをＰＨＲ設定に選択的に伝送する。でなければ、デフォルトのフォーマットが用いられる。ステップ９３１では、ＵＥ９０２は、ＰＨＲ＃１（例えばＰＡ毎のＰＨＲ）をｅＮＢ９０１に報告する。ステップ９４１では、ＵＥ９０２は、ＰＨＲ＃２（例えばＵＥ毎のＰＨＲ）をｅＮＢ９０１に報告する。ステップ９５１では、ＵＥ９０２は、ＰＨＲ＃３（例えばＵＥ毎のＰＨＲおよびＰＡ毎のＰＨＲ）をｅＮＢ９０１に報告する。最後にステップ９６１では、ＵＥ９０２は、ＰＨＲ＃４（例えば先のＰＨＲおよびＵＥ／ＰＡ毎のＰＨＲ）をｅＮＢ９０１に報告する。
【００４０】
キャリアアグリゲーションを行う無線ネットワークのＰＨＲメカニズムをサポートするために、新しいＰＨＲフォーマットが必要となる。固定長ＭＡＣ制御素子（ＣＥ）または可変長ＭＡＣ ＣＥのいずれかがＰＨＲに用いられることができる。ＣＣまたはそのＰＨ地のマッピングがＰＨＲで示される必要がある。１つの実施形態では、暗黙的マッピングが用いられてもよい。例えば、ＰＨ値は、そのセルインデックスに基づいて、昇順または降順を有する。もう１つの実施形態では、明示的マッピングが用いられてもよい。例えば、ビットマップまたは長さインジケータがＰＨＲに用いられる。また、ＰＨＲのタイプは、インジケータによって識別される。ＰＨＲは、ＰＨ値が実際の伝送グラント（ＰＲＢの＃および変調順序）を用いて計算された場合、実際のＰＨ値を含む。一方、ＰＨＲは、ＰＨ値が参照のグラント（ＰＲＢの＃および変調順序）を用いて計算された場合、仮想のＰＨ値を含む。
【００４１】
図１０は、ＰＨＲ用の固定長ＭＡＣ ＣＥの例を表している。ＭＡＣサブヘッダー１００１では、新しいロケール識別子（ＬＣＩＤ）がＰＨＲに割り当てられる。送信時間間隔（ＴＴＩ）毎の基礎において、ＭＡＣ ＣＥの長さは、ｅＮＢに知られる。例えば、長さは設定されたＣＣの関数、アクティブ化されたＣＣの関数、またはスケジューリングされたＣＣの関数であり、全てｅＮｂによってＰＨＲ設定メッセージに定義される。図１０に示されるように、ＭＡＣ ＣＥ ＰＤＵの中では、セルインデックスに基づいて、ＰＨ値は、昇順または降順で、ＰＵＣＣＨ ＰｃｅｌｌのＰＨ（タイプ２ＰＨＲとも呼ばれる）、ＰＵＳＣＨ ＰｃｅｌｌのＰＨ（タイプ１ＰＨＲとも呼ばれる）、およびＰＵＳＣＨ ＳｃｅｌｌのＰＨ値に続いて排列される。ビットＶは、ＰＨＲのタイプを示している。
【００４２】
図１１は、パワーヘッドルーム報告用の可変長ＭＡＣ ＣＥの例を表している。固定長のＰＨＲと同様に、新しいロケール識別子（ＬＣＩＤ）は、可変長ＭＡＣ ＣＥのＰＨＲ用のＭＡＣサブヘッダーに割り当てられる。ＭＡＣ ＣＥの長さは、ＭＡＣサブヘッダーまたはＭＡＣ ＣＥ ＰＤＵのいずれかに示される。図１１の上部に表されるように、長さは、ＭＡＣサブヘッダー１１０１に示される。ＭＡＣサブヘッダー１１０１は、２つのオクテットを含み、第１のオクテット１は、ＬＣＩＤを含み、第２のオクテット２は、長さ表示として用いられる。例えば、ＣＣのＰＨ値は、対応のビットがビットマップに設定された時にだけ、ＭＡＣ ＣＥ ＰＤＵに含まれ、ｅＮＢがビットマップからＭＡＣ ＣＥの長さを識別することができる。図１１の下部では、長さはＭＡＣ ＣＥ ＰＤＵに示される。ＭＡＣ ＰＤＵのオクテット１は、長さ表示として用いられるビットマップを含む。
【００４３】
図１２は、ＵＥ毎のＰＨＲの新しいフォーマットの実施形態を表している。ＵＥ毎のＰＨＲが報告されていることを示すための１つの選択は、ＵＥ毎のＰＨＲの新しいＬＣＩＤを用いることである。もう１つの選択は、図１２に示されるように、ＰＨＲ ＰＤＵの中のビット１２０１を用いて、ＵＥ毎のＰＨＲが含まれているかどうかを示すものである。ＵＥ毎のＰＨＲの位置も２つの選択を有することができる。第１の選択は、ＰＨＲのＭＡＣ ＣＥのビットマップの直後にＵＥ毎のＰＨＲを含むことであり、第２の選択は、ＰＨＲのＭＡＣ ＣＥの最後にＵＥ毎のＰＨＲを含むことである。予約ビットＲは、ＵＥ毎のＰＨＲの付加情報を示すのに用いられることができる。同様のフォーマットは、ＰＡ毎のＰＨＲに用いられることができる。
【００４４】
本発明は、説明のためにある特定の実施の形態に関連して述べられているが本発明はこれを制限するものではない。よって、種々の変更、改造、及び上述の実施の形態の種々の特徴の組み合わせがこの請求項に記載したような本発明の範囲を逸脱せずに、行い得る。
【図１】
0005568691.tif 000004
【図２】
0005568691.tif 000005
【図３】
0005568691.tif 000006
【図４Ａ】
0005568691.tif 000007
【図４Ｂ】
0005568691.tif 000008
【図５】
0005568691.tif 000009
【図６Ａ】
0005568691.tif 000010
【図６Ｂ】
0005568691.tif 000011
【図７】
0005568691.tif 000012
【図８】
0005568691.tif 000013
【図９】
0005568691.tif 000014
【図１０】
0005568691.tif 000015
【図１１】
0005568691.tif 000016
【図１２】
0005568691.tif 000017